(57)【特許請求の範囲】
【請求項１】
壁面に対して貫通された第１および第２の挿入穴に対して二股プラグのそれぞれの接点が挿入されるテレビジョン受像機のキャビネットにおいて、
上記第１の挿入穴は略矩形であり、
上記第２の挿入穴は、略矩形状の２つの矩形穴と略円弧状の穴とが連結されて形成される穴であって、一方の矩形穴の長手辺は上記第１の挿入穴の長手辺と略平行であり、上記一方の矩形穴の短手辺に他方の矩形穴の長手辺が上記第１の挿入穴の長手辺と略ハの字を形成する所定角度に配向されつつ連結され、上記一方の矩形穴にて上記第１の挿入穴から遠い位置にある長手辺に略円弧状の穴が連結されて形成され、
上記第１の挿入穴の両長手辺の縁からキャビネット内側に延設されるとともに上記第１の挿入穴の内側に向けて傾斜された第１のリブと、
上記第２の挿入穴にて上記第１の挿入穴側に位置する縁および上記略円弧状の穴の縁からキャビネット内側に垂設された第２のリブとを具備することを特徴とするテレビジョン受像機のキャビネット。
【請求項２】
壁面に対して貫通された第１および第２の挿入穴に対して二股プラグのそれぞれの接点が挿入されるキャビネットにおいて、
上記第１の挿入穴と第２の挿入穴のいずれかの縁からキャビネット内側に延設されるとともに上記挿入される二股プラグの接点側に向けて傾斜された第１のリブと、
上記第１の挿入穴と第２の挿入穴のいずれかの縁からキャビネット内側に垂設されるとともに上記第１のリブの傾斜によって上記二股プラグの一方の接点に作用する付勢力の反作用を上記二股プラグの他方の接点に作用させる第２のリブとを具備し、
上記第１のリブは、上記第１の挿入穴の縁にて対面する位置に２つ形成されており、一方は上記挿入される二股プラグの両接点の内側から外側に向けて傾斜され、他方は上記挿入される二股プラグの両接点の外側から内側に向けて傾斜されていることを特徴とするキャビネット。
【請求項３】
壁面に対して貫通された第１および第２の挿入穴に対して二股プラグのそれぞれの接点が挿入されるキャビネットにおいて、
上記第１および第２の挿入穴の縁であって上記挿入される二股プラグの両接点の内側に位置する縁は略平行であり、
上記第１および第２の挿入穴の縁であって上記挿入される二股プラグの両接点の外側に位置する縁のいずれか一方は略円弧状であり、
上記第１および第２の挿入穴の縁であって上記略平行な縁の一方の端部は所定角度傾斜しており上記略平行な縁の他方と略ハの字を形成し、
上記第１の挿入穴と第２の挿入穴のいずれかの縁からキャビネット内側に延設されるとともに上記挿入される二股プラグの接点側に向けて傾斜された第１のリブと、
上記第１の挿入穴と第２の挿入穴のいずれかの縁からキャビネット内側に垂設されるとともに上記第１のリブの傾斜によって上記二股プラグの一方の接点に作用する付勢力の反作用を上記二股プラグの他方の接点に作用させる第２のリブとを具備することを特徴とするキャビネット。
【請求項４】
上記第１のリブは、上記挿入される二股プラグの両接点の内側から外側に向けて傾斜されていることを特徴とする上記請求項２または請求項３のいずれかに記載のキャビネット。
【請求項５】
上記第１のリブは、上記挿入される二股プラグの両接点の外側から内側に向けて傾斜されていることを特徴とする上記請求項２〜請求項４のいずれかに記載のキャビネット。
【請求項６】
上記第１の挿入穴は略矩形であり、上記第２の挿入穴は略矩形状の２つの矩形穴と略円弧状の穴とが連結されて形成される穴であって、上記一方の矩形穴の短手辺に他方の矩形穴の長手辺が上記第１の挿入穴の長手辺と略ハの字を形成する所定角度に配向されつつ連結され、上記一方の矩形穴にて上記第１の挿入穴から遠い位置にある長手辺に略円弧状の穴が連結されて形成されていることを特徴とする上記請求項２〜請求項５のいずれかに記載のキャビネット。
【発明の詳細な説明】
【０００１】
【発明の属する技術分野】
本発明は、テレビジョン受像機のキャビネットおよびキャビネットに関し、特に二股プラグが挿入されるテレビジョン受像機のキャビネットおよびキャビネットに関する。
【０００２】
【従来の技術】
従来、この種のキャビネットとして、二股プラグのそれぞれの接点を挿入可能な挿入穴を形成したものが知られている。このキャビネットでは、二股プラグの各接点の断面外周と略同寸あるいは少し寸法の小さな挿入穴をキャビネット後面に形成し、この挿入穴に対して二股プラグの各接点を嵌合している。また、実開昭５５−１０４８８２号公報には二股プラグの各接点と嵌り合うエ字状の２個の透孔を設けたキャビネットが開示されている。
【０００３】
【発明が解決しようとする課題】
上述した従来のキャビネットにおいては、二股プラグの複数回の挿抜によって嵌合を維持する力が低下する問題があった。すなわち、上述の２つの従来技術では、いずれにおいてもキャビネットに対して二股プラグの接点を強く嵌め込んでいるので、複数回の挿抜によって挿入穴の径が拡張し、二股プラグを挿入した状態で維持する力が低下してしまう。さらに、上述の２つの従来技術のいずれにおいても挿入穴に対して特定形状の接点を有する二股プラグしか挿入できず、平板状の接点を有するプラグと円柱状の接点を有するプラグの双方を挿入可能な挿入穴は存在したものの、３つの接点形状に対応する挿入穴は存在せず、キャビネットに２種類の穴を形成して一方に２種類のプラグ、他方に他の１種類のプラグを挿入するように構成していた。
本発明は、上記課題にかんがみてなされたもので、二股プラグを複数回挿入しても挿入状態を維持する力が低下せず、また、一つのキャビネットで複数形状の二股プラグに対応可能なテレビジョン受像機のキャビネットおよびキャビネットを提供することを目的とする。
【０００４】
【課題を解決するための手段】
上記目的を達成するため、請求項１にかかる発明は、壁面に対して貫通された第１および第２の挿入穴に対して二股プラグのそれぞれの接点が挿入されるテレビジョン受像機のキャビネットにおいて、上記第１の挿入穴は略矩形であり、上記第２の挿入穴は、略矩形状の２つの矩形穴と略円弧状の穴とが連結されて形成される穴であって、一方の矩形穴の長手辺は上記第１の挿入穴の長手辺と略平行であり、上記一方の矩形穴の短手辺に他方の矩形穴の長手辺が上記第１の挿入穴の長手辺と略ハの字を形成する所定角度に配向されつつ連結され、上記一方の矩形穴にて上記第１の挿入穴から遠い位置にある長手辺に略円弧状の穴が連結されて形成され、上記第１の挿入穴の両長手辺の縁からキャビネット内側に延設されるとともに上記第１の挿入穴の内側に向けて傾斜された第１のリブと、上記第２の挿入穴にて上記第１の挿入穴側に位置する縁および上記略円弧状の穴の縁からキャビネット内側に垂設された第２のリブとを具備する構成としてある。
【０００５】
上記のように構成した請求項１にかかる発明においては、キャビネットの壁面に対して貫通した第１および第２の挿入穴を形成し、各穴に対して二股プラグの各接点を挿入する。この挿入に際して３種類の形状のプラグに対応するため、当該３種類の形状のプラグを挿入可能な穴の形状を採用してある。さらに、キャビネットに対して二股プラグが挿入した状態で維持する力を、二股プラグの複数回の挿抜によって低下させないようにキャビネットの内側にリブを形成してある。
【０００６】
すなわち、第１の挿入穴は略矩形であり、２つの矩形穴が連結された略「く」の字状の穴に略円弧状の穴を連結して形成される形状の穴として第２の挿入穴を形成する。第２の挿入穴にこの形状を採用することによって、３種類の形状の二股プラグに対応することができる。具体的には、平板状の接点を対抗させた日本，米国向けプラグと平板状の接点をハの字状に垂設したヨーロッパ向けプラグと略円柱状の接点を有するイギリス向けプラグとに対応することができる。
【０００７】
第２の矩形穴にて一方の矩形穴の長手辺は、上記第１の挿入穴の長手辺と略平行であるので、これらの平行な長手辺に上記日本，米国向けプラグの各平板を当接させながら挿入することができる。第２の矩形穴にて上記一方の矩形穴の短手辺に他方の矩形穴の長手辺が上記第１の挿入穴の長手辺と略ハの字を形成する所定角度に配向されつつ連結されているので、これらハの字を形成する穴の縁に上記ヨーロッパ向けプラグの各接点を当接させながら挿入することができる。第２の挿入穴にて上記一方の矩形穴にて上記第１の挿入穴から遠い位置にある長手辺に略円弧状の穴が連結されて形成されているので、当該円弧状の穴と第１の挿入穴の長手辺の縁に上記イギリス向けプラグの各接点を当接させながら挿入することができる。
【０００８】
さらに、キャビネット内側にて第１の挿入穴の内側に傾斜した第１のリブとキャビネット内側にて第２の挿入穴の縁に垂設した第２のリブとの組で二股プラグの接点に付勢力を作用させることにより、二股プラグがキャビネットに差し込まれた状態で維持する。すなわち、第１のリブが第１の挿入穴の内側に向けて傾斜していることにより、第１の挿入穴に挿入された二股プラグの接点は第１の挿入穴の内側に向けた付勢力を受ける。
【０００９】
第２の挿入穴の縁には第２のリブが形成されているので、第２の挿入穴に挿入された二股プラグの接点は当該第２のリブに当接する。この接点は上記第１のリブによって付勢力を受けているが、当該第２のリブに当接することでその反作用を受け、二股プラグがキャビネットに挿入された状態で維持される。このように、本発明では嵌合によって二股プラグの挿入状態を維持するわけではないので、二股プラグの挿抜を繰り返しても挿入穴が拡張することもなく、挿入状態を維持する力を低下させることがない。
【００１０】
また、請求項２にかかる発明は、壁面に対して貫通された第１および第２の挿入穴に対して二股プラグのそれぞれの接点が挿入されるキャビネットにおいて、上記第１の挿入穴と第２の挿入穴のいずれかの縁からキャビネット内側に延設されるとともに上記挿入される二股プラグの接点側に向けて傾斜された第１のリブと、上記第１の挿入穴と第２の挿入穴のいずれかの縁からキャビネット内側に垂設されるとともに上記第１のリブの傾斜によって上記二股プラグの一方の接点に作用する付勢力の反作用を上記二股プラグの他方の接点に作用させる第２のリブとを具備し、上記第１のリブは、上記第１の挿入穴の縁にて対面する位置に２つ形成されており、一方は上記挿入される二股プラグの両接点の内側から外側に向けて傾斜され、他方は上記挿入される二股プラグの両接点の外側から内側に向けて傾斜されている構成としてある。
【００１１】
すなわち、キャビネットの内側で傾斜された第１のリブで二股プラグの一方の接点に付勢力を作用させ、キャビネットの内側に垂設された第２のリブで二股プラグの他方の接点に対してこの付勢力の反作用を作用させる。この結果、二股プラグ全体では、両接点を内側から外側に向けて押し広げる力、あるいは、両接点を外側から内側に向けて押し狭める力として作用する。従って、キャビネット内部で第１および第２のリブが二股プラグの各接点に対して力を作用させ、挿入状態を維持する。
【００１２】
本発明では、第１および第２のリブが組になっており、第１のリブによって二股プラグの接点の一方に付勢力を作用させることができればよい。従って、第１および第２のリブは第１の挿入穴と第２の挿入穴のいずれの縁に形成されていても良い。すなわち、第１の挿入穴の縁に第１のリブが形成され、第２の挿入穴の縁に第２のリブが形成されていても良いし、第１の挿入穴の縁に第２のリブが形成され、第２の挿入穴の縁に第１のリブが形成されていても良い。さらに、第１の挿入穴の縁に２つの第１のリブが形成され、第２の挿入穴の縁に２つの第２のリブが形成されていても良いし、第１の挿入穴の縁に第１および第２のリブが形成され、第２の挿入穴の縁に第１および第２のリブが形成されていても良い。
【００１３】
さらに、壁面に対して貫通された第１および第２の挿入穴に対して二股プラグのそれぞれの接点が挿入されるキャビネットにおいて、上記第１および第２の挿入穴の縁であって上記挿入される二股プラグの両接点の内側に位置する縁は略平行であり、上記第１および第２の挿入穴の縁であって上記挿入される二股プラグの両接点の外側に位置する縁のいずれか一方は略円弧状であり、上記第１および第２の挿入穴の縁であって上記略平行な縁の一方の端部は所定角度傾斜しており上記略平行な縁の他方と略ハの字を形成する構成としてある。
【００１４】
すなわち、第１および第２の挿入穴は、平板状の接点を対抗させた日本，米国向けプラグと平板状の接点をハの字状に垂設したヨーロッパ向けプラグと略円柱状の接点を有するイギリス向けプラグとの３種類の形状の二股プラグに対応可能な穴を形成している。具体的には、上記第１および第２の挿入穴の縁であって上記挿入される二股プラグの両接点の内側に位置する縁は略平行であるので、これらの縁に日本，米国向けプラグの平板状の接点を当接させつつ挿入することができる。
【００１５】
また、上記第１および第２の挿入穴の縁であって上記挿入される二股プラグの両接点の外側に位置する縁のいずれか一方は略円弧状であるので、この略円弧状の縁に略円柱状の接点を有するイギリス向けプラグの接点の円柱外周を当接させつつ挿入することができる。イギリス向けプラグでの接点間距離は日本，米国向けプラグでの接点間距離より大きいので、上記略円弧状の縁を挿入される二股プラグの両接点の外側に位置する縁に形成することによって、日本，米国向けプラグとイギリス向けプラグの兼用挿入穴を形成することができる。
【００１６】
さらに、上記第１および第２の挿入穴の縁であって上記略平行な縁の一方の端部は所定角度傾斜しており上記略平行な縁の他方と略ハの字を形成するので、このハの字部分の縁に上記ヨーロッパ向けプラグにてハの字状を形成する平板状の接点を当接させつつ挿入することができる。ヨーロッパ向けプラグでの接点間距離は日本，米国向けプラグでの接点間距離とほぼ同様であり、接点を挿入する穴を２つとも共通にしようとしても両者が干渉して共通にすることができない。しかし、本発明では、挿入穴の一方にて縁の端部が所定角度傾斜しているので、この傾斜した縁にヨーロッパ向けプラグの接点を当接させつつも、傾斜せず、かつ上記略平行の縁に日本，米国向けプラグの接点を当接させることができ、両プラグの兼用挿入穴を形成することができる。従って、３種類の形状のプラグに対応した挿入穴を有するキャビネットを提供することができる。
【００１７】
さらに、請求項３にかかる発明は、壁面に対して貫通された第１および第２の挿入穴に対して二股プラグのそれぞれの接点が挿入されるキャビネットにおいて、上記第１および第２の挿入穴の縁であって上記挿入される二股プラグの両接点の内側に位置する縁は略平行であり、上記第１および第２の挿入穴の縁であって上記挿入される二股プラグの両接点の外側に位置する縁のいずれか一方は略円弧状であり、上記第１および第２の挿入穴の縁であって上記略平行な縁の一方の端部は所定角度傾斜しており上記略平行な縁の他方と略ハの字を形成し、上記第１の挿入穴と第２の挿入穴のいずれかの縁からキャビネット内側に延設されるとともに上記挿入される二股プラグの接点側に向けて傾斜された第１のリブと、上記第１の挿入穴と第２の挿入穴のいずれかの縁からキャビネット内側に垂設されるとともに上記第１のリブの傾斜によって上記二股プラグの一方の接点に作用する付勢力の反作用を上記二股プラグの他方の接点に作用させる第２のリブとを具備する構成としてある。
【００１８】
すなわち、日本，米国向けプラグとヨーロッパ向けプラグとイギリス向けプラグとの３種類の形状の二股プラグに対応可能であるとともに、キャビネット内部で第１および第２のリブが二股プラグの各接点に対して力を作用させ、これらのリブによって二股プラグの挿入状態が維持される。従って、二股プラグを複数回挿入しても挿入状態を維持する力が低下せず、また、一つのキャビネットで複数形状の二股プラグに対応可能なキャビネットを提供することができる。
【００１９】
さらに、第１および第２のリブが組となり、第１のリブによって二股プラグの接点の一方に付勢力を作用させる構成の具体例として請求項４にかかる発明では、上記第１のリブは、上記挿入される二股プラグの両接点の内側から外側に向けて傾斜されている構成としてある。すなわち、二股プラグの二つの接点に対し、内側から外側に向けて力を作用させることにより二股プラグの挿入状態を維持するようになっている。
【００２０】
第１のリブでは二股プラグの両接点の内側から外側に向けて付勢力を作用させるので、第２のリブは二股プラグの両接点の内側に垂設されていればよく、かかる構成によって第１および第２のリブが組となってプラグの挿入状態を維持することが可能になる。第１のリブは二股プラグの接点の内側から外側に向けて力を作用させることができれば良く、二股プラグの接点形状としては平行平板に限定されることはなく、ハの字状の接点であっても良い。
【００２１】
さらに、第１および第２のリブが組となり、第１のリブによって二股プラグの接点の一方に付勢力を作用させる構成の具体例として請求項５にかかる発明では、上記第１のリブは、上記挿入される二股プラグの両接点の外側から内側に向けて傾斜されている構成としてある。すなわち、二股プラグの二つの接点に対し、外側から内側に向けて力を作用させることにより二股プラグの挿入状態を維持するようになっている。
【００２２】
第１のリブでは二股プラグの両接点の外側から内側に向けて付勢力を作用させるので、第２のリブは二股プラグの両接点の外側に垂設されていればよく、かかる構成によって第１および第２のリブが組となってプラグの挿入状態を維持することが可能になる。第１のリブは二股プラグの接点の外側から内側に向けて力を作用させることができれば良く、二股プラグの接点形状としては平行平板に限定されることはなく、円柱状の接点であっても良い。
【００２３】
さらに、共通の挿入穴で複数形状の二股プラグに対応するための好適な構成例として上記第１のリブは、上記第１の挿入穴の縁にて対面する位置に２つ形成されており、一方は上記挿入される二股プラグの両接点の内側から外側に向けて傾斜され、他方は上記挿入される二股プラグの両接点の外側から内側に向けて傾斜されている構成としてある。
【００２４】
すなわち、傾斜された第１のリブが第１の挿入穴の縁にて対面する位置に２つ形成されていることにより、一方の第１のリブで二股プラグの両接点の内側から外側に向けて付勢力を作用させ、他方の第１のリブで二股プラグの両接点の外側から内側に向けて付勢力を作用させることができる。従って、第２の挿入穴の縁にて２つの第２のリブを垂設すれば、共通の挿入穴にて複数形状の二股プラグに対応することができる。
【００２５】
例えば、イギリス向けプラグの各接点間距離は、日本，米国向けプラグの各接点間距離より長いので、イギリス向けプラグの挿入状態を維持する第１および第２のリブを挿入穴の外側の縁に形成し、日本，米国向けプラグの挿入状態を維持する第１および第２のリブを挿入穴の内側の縁に形成すれば、共通の挿入穴で複数の形状の二股プラグを挿入して維持することが可能になる。
【００２６】
さらに、請求項６にかかる発明では、上記第１の挿入穴は略矩形であり、上記第２の挿入穴は略矩形状の２つの矩形穴と略円弧状の穴とが連結されて形成される穴であって、上記一方の矩形穴の短手辺に他方の矩形穴の長手辺が上記第１の挿入穴の長手辺と略ハの字を形成する所定角度に配向されつつ連結され、上記一方の矩形穴にて上記第１の挿入穴から遠い位置にある長手辺に略円弧状の穴が連結されて形成されている構成としてある。
【００２７】
すなわち、第１の挿入穴と第２の挿入穴において、向かい合う辺の縁に日本，米国向けプラグの平板状の接点を当接させつつ挿入することができ、第１の挿入穴の縁と上記第２の挿入穴において第１の挿入穴から遠い位置にある円弧状の縁とにイギリス向けプラグの略円柱状の接点を当接させつつ挿入することができる。さらに、ハの字状を形成する挿入穴の縁にヨーロッパ向けプラグのハの字状の接点を当接させつつ挿入することができる。また、第１の挿入穴の内側に第１のリブを形成し第２の挿入穴の縁に第２のリブを形成すれば、３種の形状の二股プラグを挿入可能であり、いずれの形状の二股プラグであっても挿入穴を拡張させることなく複数回の挿入が可能であり、キャビネットに挿入した状態で維持することができる。
【００２８】
【発明の効果】
以上説明したように請求項１にかかる発明によれば、二股プラグを複数回挿入しても挿入状態を維持する力が低下せず、また、一つのキャビネットで複数形状の二股プラグに対応可能なテレビジョン受像機のキャビネットを提供することができる。
また、請求項２にかかる発明によれば、二股プラグを複数回挿入しても挿入状態を維持する力が低下しないキャビネットを提供することができる。
さらに、一つのキャビネットで複数形状の二股プラグに対応可能なキャビネットを提供することができる。
さらに、請求項３にかかる発明によれば、二股プラグを複数回挿入しても挿入状態を維持する力が低下せず、また、一つのキャビネットで複数形状の二股プラグに対応可能なキャビネットを提供することができる。
【００２９】
さらに、請求項４にかかる発明によれば、第１および第２のリブの組で、二股プラグの挿入状態を維持させる力を作用させることができる。
さらに、請求項５にかかる発明によれば、第１および第２のリブの組で、二股プラグの挿入状態を維持させる力を作用させることができる。
さらに、共通の挿入穴にて複数形状の二股プラグに対応することができる。
さらに、請求項６にかかる発明によれば、３種の形状の二股プラグを挿入可能な挿入穴を形成することができる。
【００３０】
【発明の実施の形態】
ここでは、下記の順序に従って本発明の実施の形態について説明する。
（１）本発明の概要：
（２）挿入穴の構成：
（３）リブの構成：
（４）プラグの挿入：
（５）他の実施形態：
（６）まとめ：
【００３１】
（１）本発明の概要：
図１は、本発明にかかるキャビネット１０が後面に装着されるテレビジョン受像機を示す斜視図である。キャビネット１０の下部には３種の電源プラグが挿入可能な挿入穴２０が形成されている。本実施形態における挿入穴２０に対しては、日本，米国向けプラグとヨーロッパ向けプラグとイギリス向けプラグの３種のいずれをも挿入可能である。
【００３２】
図２〜図４には、これら３種の電源プラグを示している。すなわち、図２は日本，米国向けプラグの正面図およびＡ−Ａ断面図であり、図３はヨーロッパ向けプラグの正面図およびＢ−Ｂ断面図であり、図４はイギリス向けプラグの正面図およびＣ−Ｃ断面図である。図２に示すように日本，米国向けプラグ１２の接点１２ａ，１２ｂは平板状の金属部材であって両者が平行に向かい合うように日本，米国向けプラグ１２の本体から垂設されている。
【００３３】
図３に示すように、ヨーロッパ向けプラグ１４の接点１４ａ，１４ｂは平板状の金属部材であって接点１４ａの平面と接点１４ｂの平面は互いに非平行になるようにヨーロッパ向けプラグ１４の本体から垂設され、Ｃ−Ｃ断面図で接点１４ａ，１４ｂがハの字を形成している。図４に示すように、イギリス向けプラグ１６の接点１６ａ，１６ｂは円柱状の金属部材でありイギリス向けプラグ１６の本体から垂設されている。尚、図２に示す接点１２ａ，１２ｂの離間距離Ｌｊと図４に示す接点１６ａ，１６ｂの離間距離Ｌｕとでは、接点１６ａ，１６ｂの離間距離Ｌｕの方が長くなっている。
【００３４】
本実施形態における挿入穴２０は、矩形穴と、屈曲するとともに円弧状の縁を有する穴とを形成することによって上述の３種の電源プラグを挿入可能にしている。さらに、キャビネット１０の内面に対して第１および第２のリブを形成することにより、上記３種の電源プラグを挿入した状態で接点に対して付勢力を作用させ、挿入した状態を維持できるように構成してある。本発明では、各リブで挿入状態を維持するようになっているので、挿入された電源プラグを取り外し再度挿入したとしても挿入穴が拡張されるなどすることが無く、電源プラグを複数回挿入しても挿入状態を維持する力が低下することがない。
【００３５】
（２）挿入穴の構成：
図５は、キャビネット１０の後面に形成された挿入穴２０の拡大図である。挿入穴２０は、矩形の開口部を有する第１の挿入穴２１と第２の挿入穴２２とを備えている。第２の挿入穴２２は、２つの略矩形の穴２２ａ，２２ｂが連結されて略「く」の字状を形成した穴と略円弧状の穴２２ｃとが連結されて形成される穴である。挿入穴２１の長手辺と略矩形の穴２２ａの長手辺は平行になるように配向されている。
【００３６】
略矩形の穴２２ｂは、当該略矩形の穴２２ｂの長手辺２２ｂ１と略矩形の穴２２ａの長手辺２２ａ１とが交差するように配向されつつ、略矩形の穴２２ａの短手辺に連結されている。従って、略矩形の穴２２ａと略矩形の穴２２ｂとにより、略「く」の字状に開口した穴を形成している。また、略円弧状の穴２２ｃは、略矩形の穴２２ｂの長手辺であって第１の挿入穴２１と反対側の長手辺に連結されている。第１の挿入穴２１の長手辺２１ａ１と略矩形の穴２２ａの長手辺２２ａ１との距離は、上記日本，米国向けプラグ１２の接点１２ａ，１２ｂの向かい合う面の距離よりわずかに短くなっている。従って、日本，米国向けプラグ１２の接点１２ａ，１２ｂを第１の挿入穴２１と第２の挿入穴２２とに挿入することができる。
【００３７】
略矩形の穴２２ｂの長手辺２２ｂ１と挿入穴２１の長手辺２１ａ１との距離は上記ヨーロッパ向けプラグ１４の接点１４ａ，１４ｂの向かい合う面の距離よりわずかに短くなっている。従って、ヨーロッパ向けプラグ１４の接点１４ａ，１４ｂを第１の挿入穴２１と第２の挿入穴２２とに挿入することができる。略円弧状の穴２２ｃの縁は上記イギリス向けプラグ１６の外周の円弧とほぼ同形であり、当該略円弧状の穴２２ｃの縁と上記挿入穴２１の長手辺２１ａ２とが所定距離離間していることにより、上記イギリス向けプラグ１６の接点１６ａ，１６ｂを第１の挿入穴２１と第２の挿入穴２２とに挿入することができる。尚、図５においてベタ塗りで示す部位はキャビネット１０の壁面を貫通していることを示している。
【００３８】
（３）リブの構成：
本実施形態においては、キャビネット１０の裏面、すなわち、キャビネット１０がテレビジョン受像機に装着されたときにテレビジョン受像機の内部に配向する面に第１のリブおよび第２のリブが形成されている。図６は、キャビネット１０の裏側から見た挿入穴２０の拡大図であり、図７はそのＥ−Ｅ断面図である。図に示すように、キャビネット１０の裏側にはその壁面からプラグの挿入方向（図６の紙面手前方向）へ向けて延設された第１のリブ３１ａ，３１ｂと第２のリブ３２ａ，３２ｂとが形成されている。
【００３９】
第１のリブ３１ａは第１の挿入穴２１の長手辺２１ａ１に沿ってプラグの挿入方向に延設されており、第１のリブ３１ｂは第１の挿入穴２１の長手辺２１ａ２に沿ってプラグの挿入方向に延設されている。本実施形態において第１のリブ３１ａ，３１ｂには傾斜が与えられており、キャビネット１０の壁面から離れるに従って第１のリブ３１ａ，３１ｂが互いに近づくようになっている。また、第１のリブ３１ａ，３１ｂの向かい合う面にはガイド部３１ａ１，３１ｂ１が形成されている。
【００４０】
図８は挿入穴２１のＦ−Ｆ断面図であり、図９は挿入穴２１のＧ−Ｇ断面図である。図に示すように、ガイド部３１ａ１，３１ｂ１は第１のリブ３１ａ，３１ｂの向かい合う面にて向かい合うように所定の厚みで突出された部位であり、第１のリブ３１ａ，３１ｂの縁に沿って電源プラグの挿入方向に長く形成された部位である。ガイド部３１ａ１，３１ｂ１は第１のリブ３１ａ，３１ｂの縁の双方に形成されているので、第１のリブ３１ａ，３１ｂに当接しながら挿入される電源プラグの接点が中央に配置されるようにガイドすることができる。第２のリブ３２ａは第２の挿入穴の長手辺２２ａ１，２２ｂ１および長手辺２２ｂ１に隣り合う短辺の縁にてプラグの挿入方向に垂設されており、第２のリブ３２ｂは略円弧状の穴２２ｃの縁に沿ってプラグの挿入方向に垂設されている。
【００４１】
（４）プラグの挿入：
次に、上記構成にかかる挿入穴２０に対して上述の３種の電源プラグを挿入する様子を説明する。図１０は、上記日本，米国向けプラグ１２の接点１２ａ，１２ｂを挿入穴２０に挿入した状態でキャビネット１０の裏面から挿入穴２０を眺めた状態を示しており、図１１はキャビネット１０のＨ−Ｈ断面図を示している。上述のように、第１の挿入穴２１の長手辺２１ａ１と略矩形の穴２２ａの長手辺２２ａ１との距離は、上記日本，米国向けプラグ１２の接点１２ａ，１２ｂの向かい合う面の距離よりわずかに短くなっているので、接点１２ａ，１２ｂを第１の挿入穴２１と第２の挿入穴２２とに挿入することができる。
【００４２】
上記第１のリブ３１ａは先端に向かうに連れ、図１０，図１１の紙面下方に向かって傾斜しており、第１のリブ３１ａは接点１２ｂの挿入方向に位置しているので、接点１２ｂが挿入されると第１のリブ３１ａを図１０，図１１の紙面上方に向けて撓ませることになる。日本，米国向けプラグ１２を完全に挿入した図１１に示す状態において、第１のリブ３１ａは、当該第１のリブ３１ａが撓んでいることの反作用として接点１２ｂに対して紙面下方に配向した付勢力を作用させる。
【００４３】
ここで、接点１２ａは上記第２のリブ３２ａと当接しており、当該第２のリブはキャビネット１０に対して垂設されているので、上記付勢力によって接点１２ａが第２のリブ３２ａに対して押しつけられる。この結果、第１のリブ３１ａと第２のリブ３２ａとで、接点１２ａ，１２ｂに対してこれらを外側に押し広げようとする力を作用させることになる。従って、第１の挿入穴２１と第２の挿入穴２２とに対して挿入された日本，米国向けプラグ１２は、キャビネット１０に挿入された状態で維持される。
【００４４】
むろん、日本，米国向けプラグ１２を取り外したいときには、引き抜くことによって取り外すことができる。日本，米国向けプラグ１２を抜いたときに上記第１のリブ３１ａはその撓力によって、上記図６に示す状態に復帰する。従って、日本，米国向けプラグ１２の引き抜き後に再び挿入することができ、挿入状態を維持する力を低下させることなく再び挿入状態で維持することができる。
【００４５】
図１２は、上記ヨーロッパ向けプラグ１４の接点１４ａ，１４ｂを挿入穴２０に挿入した状態でキャビネット１０の裏面から挿入穴２０を眺めた状態を示しており、図１３はキャビネット１０のＩ−Ｉ断面図を示している。上述のように、略矩形の穴２２ｂの長手辺２２ｂ１と挿入穴２１の長手辺２１ａ１との距離は上記ヨーロッパ向けプラグ１４の接点１４ａ，１４ｂの向かい合う面の距離よりわずかに短くなっている。従って、ヨーロッパ向けプラグ１４の接点１４ａ，１４ｂを第１の挿入穴２１と第２の挿入穴２２とに挿入することができる。
【００４６】
上記第１のリブ３１ａは先端に向かうに連れ、図１２，図１３の紙面下方に向かって傾斜しており、第１のリブ３１ａは接点１４ａの挿入方向に位置しているので、接点１４ａが挿入されると第１のリブ３１ａを図１２，図１３の紙面上方に向けて撓ませることになる。ヨーロッパ向けプラグ１４を完全に挿入した図１３に示す状態において、第１のリブ３１ａは、当該第１のリブ３１ａが撓んでいることの反作用として接点１４ａに対して紙面下方に配向した付勢力を作用させる。
【００４７】
ここで、接点１４ｂは上記第２のリブ３２ａと当接しており、当該第２のリブはキャビネット１０に対して垂設されているので、上記付勢力によって接点１４ｂが第２のリブ３２ａに対して押しつけられる。この結果、第１のリブ３１ａと第２のリブ３２ａとで、接点１４ａ，１４ｂに対してこれらを外側に押し広げようとする力を作用させることになる。従って、第１の挿入穴２１と第２の挿入穴２２とに対して挿入されたヨーロッパ向けプラグ１４は、キャビネット１０に挿入された状態で維持される。
【００４８】
むろん、ヨーロッパ向けプラグ１４を取り外したいときには、引き抜くことによって取り外すことができる。ヨーロッパ向けプラグ１４を抜いたときに上記第１のリブ３１ａはその撓力によって、上記図６に示す状態に復帰する。従って、ヨーロッパ向けプラグ１４の引き抜き後に再び挿入することができ、挿入状態を維持する力を低下させることなく再び挿入状態で維持することができる。尚、本実施形態において第２のリブ３２ａは略矩形の穴２２ｂの短辺の縁においても垂設されており、この部位があることによってヨーロッパ向けプラグ１４の位置が傾きにくいと言う利点があるものの、挿入状態を維持するためには、当該第２のリブ３２ａが略矩形の穴２２ｂの短辺の縁においても垂設されていることが必須となるわけではない。
【００４９】
図１４は、上記イギリス向けプラグ１６の接点１６ａ，１６ｂを挿入穴２０に挿入した状態でキャビネット１０の裏面から挿入穴２０を眺めた状態を示しており、図１５はキャビネット１０のＪ−Ｊ断面図を示している。上述のように、略円弧状の穴２２ｃの縁は上記イギリス向けプラグ１６の外周の円弧とほぼ同形であり、当該略円弧状の穴２２ｃの縁と上記挿入穴２１の長手辺２１ａ２とが所定距離離間していることにより、上記イギリス向けプラグ１６の接点１６ａ，１６ｂを第１の挿入穴２１と第２の挿入穴２２とに挿入することができる。
【００５０】
上記第１のリブ３１ｂは先端に向かうに連れ、図１４，図１５の紙面上方に向かって傾斜しており、第１のリブ３１ｂは接点１６ｂの挿入方向に位置しているので、接点１６ｂが挿入されると第１のリブ３１ｂを図１４，図１５の紙面下方に向けて撓ませることになる。イギリス向けプラグ１６を完全に挿入した図１５に示す状態において、第１のリブ３１ｂは、当該第１のリブ３１ｂが撓んでいることの反作用として接点１６ｂに対して紙面上方に配向した付勢力を作用させる。
【００５１】
ここで、接点１６ａは上記第２のリブ３２ｂと当接しており、当該第２のリブはキャビネット１０に対して垂設されているので、上記付勢力によって接点１６ａが第２のリブ３２ｂに対して押しつけられる。この結果、第１のリブ３１ｂと第２のリブ３２ｂとで、接点１６ａ，１６ｂに対してこれらを内側に押し縮めようとする力を作用させることになる。従って、第１の挿入穴２１と第２の挿入穴２２とに対して挿入されたイギリス向けプラグ１６は、キャビネット１０に挿入された状態で維持される。
【００５２】
むろん、イギリス向けプラグ１６を取り外したいときには、引き抜くことによって取り外すことができる。イギリス向けプラグ１６を抜いたときに上記第１のリブ３１ｂはその撓力によって、上記図６に示す状態に復帰する。従って、イギリス向けプラグ１６の引き抜き後に再び挿入することができ、挿入状態を維持する力を低下させることなく再び挿入状態で維持することができる。
【００５３】
（５）他の実施形態：
本発明によれば、３種形状の二股プラグを共通の挿入穴に挿入することができる。また、二股プラグを複数回挿抜しても挿入穴に不可逆的な変形を生じさせないので、挿入状態を維持する力を低下させることがない。かかる構成のキャビネットを使用して好適な例としては、上記実施形態のようにテレビジョン受像機に限定されない。すなわち、二股プラグを挿入し得る総てのキャビネットに適用することができる。例えば、ビデオデッキやＤＶＤ（Digital Versatile Disk）デッキや音響映像機器のキャビネットに適用することが可能である。
【００５４】
（６）まとめ：
このように、本発明においては、キャビネットの裏面かつ挿入穴の縁に、挿入されるプラグの接点側に傾斜した第１のリブと垂設された第２のリブとを形成する。従って、プラグの接点は第１のリブと第２のリブから挿入状態を維持する力を受け、挿入状態が維持される。また、略矩形の第１の挿入穴と、２つの略矩形の穴が連結されて略「く」の字状を形成した穴と略円弧状の穴とを連結して形成した第２の挿入穴を組で形成し、二股プラグの挿入穴とする。従って、３種形状の二股プラグを共通の挿入穴で挿入維持することができる。
【図面の簡単な説明】
【図１】本発明にかかるキャビネットが後面に装着されるテレビジョン受像機を示す斜視図である。
【図２】日本，米国向けプラグの正面図およびＡ−Ａ断面図である。
【図３】ヨーロッパ向けプラグの正面図およびＢ−Ｂ断面図である。
【図４】イギリス向けプラグの正面図およびＣ−Ｃ断面図である。
【図５】キャビネットの後面に形成された挿入穴の拡大図である。
【図６】キャビネットの裏側から見た挿入穴の拡大図である。
【図７】キャビネットのＥ−Ｅ断面図である。
【図８】挿入穴のＦ−Ｆ断面図である。
【図９】挿入穴のＧ−Ｇ断面図である。
【図１０】日本，米国向けプラグを挿入穴に挿入した状態で挿入穴を眺めた状態を示す図である。
【図１１】キャビネットのＨ−Ｈ断面図である。
【図１２】ヨーロッパ向けプラグを挿入穴に挿入した状態で挿入穴を眺めた状態を示す図である。
【図１３】キャビネットのＩ−Ｉ断面図である。
【図１４】イギリス向けプラグを挿入穴に挿入した状態で挿入穴を眺めた状態を示す図である。
【図１５】キャビネットのＪ−Ｊ断面図である。
【符号の説明】
１０…キャビネット
１２…日本，米国向けプラグ
１２ａ，１２ｂ…接点
１４…ヨーロッパ向けプラグ
１４ａ，１４ｂ…接点
１６…イギリス向けプラグ
１６ａ，１６ｂ…接点
２０…挿入穴
２１…第１の挿入穴
２１ａ１，２１ａ２…長手辺
２２…第２の挿入穴
２２ａ，２２ｂ…略矩形の穴
２２ａ１，２２ｂ１…長手辺
２２ｃ…略円弧状の穴
３１ａ，３１ｂ…第１のリブ
３１ａ１，３１ｂ１…ガイド部
３２ａ，３２ｂ…第２のリブ
【図１】
0003702959.tif 000002
【図２】
0003702959.tif 000003
【図３】
0003702959.tif 000004
【図４】
0003702959.tif 000005
【図５】
0003702959.tif 000006
【図６】
0003702959.tif 000007
【図７】
0003702959.tif 000008
【図８】
0003702959.tif 000009
【図９】
0003702959.tif 000010
【図１０】
0003702959.tif 000011
【図１１】
0003702959.tif 000012
【図１２】
0003702959.tif 000013
【図１３】
0003702959.tif 000014
【図１４】
0003702959.tif 000015
【図１５】
0003702959.tif 000016